(57)【要約】【課題】  減圧装置を用いずに多孔質フィルタ内部の空気を簡単に除去することができる電位差検出用電極を提供する。【解決手段】  一体に結合されるカバー１及びホルダ２と、カバー１の開口部に設けられた多孔質フィルタ７と、ホルダ２に設けられ、カバー１とホルダ２との空間の内部液１０中に位置する電極素子５と、カバー１に形成された雌ネジ３ａ及びホルダ２に形成された雄ネジ３ｂからなるネジ部３と、ネジ部３に近接して設けられたシール材４とを備える。カバー１とホルダ２をネジ部３により螺合させる途中で、ネジ部３を含むカバー１とホルダ２とのオーバーラップ部分Ｌがシール材４によりシールされるので、これ以降は螺合の進行に伴い内部液１０は上昇した液圧により多孔質フィルタ７を通って電極外部に押し出され、このとき多孔質フィルタ７の内部空気も電極外部に一緒に押し出される。【選択図】      図４
2008145147.tif 000002
【特許請求の範囲】
【請求項１】
一体に結合される本体一方部分及び本体他方部分と、
本体一方部分の開口部に設けられた多孔質フィルタと、
本体他方部分に設けられ、本体一方部分との結合状態で本体一方部分と本体他方部分との空間の内部液中に位置する電極素子と、
本体一方部分と本体他方部分との間に介在され、本体一方部分と本体他方部分との空間の内部液をシールするシール材とを備える電極において、
本体一方部分と本体他方部分を双方の間にシール材を介在させて結合するときに、結合の途中でシール材のシール機能を発揮させる手段を設けたことを特徴とする電位差検出用電極。
【請求項２】
前記手段は、本体一方部分と本体他方部分を互いに螺合させるネジ部と、このネジ部に近接して設けられた前記シール材とからなり、本体一方部分と本体他方部分を螺合により完全に結合させたときに、シール材が本体一方部分と本体他方部分とのオーバーラップ部分の途中に位置するようにしたことを特徴とする請求項１記載の電位差検出用電極。
【発明の詳細な説明】
【技術分野】
【０００１】
この発明は、海水中の電気的特性を測定するための測定機器に使用される電位差検出用電極に関する。
【背景技術】
【０００２】
海水中の電位差検出は、海水中に設置された２本の電極素子間の電位差を測定することで達成できる。その電極素子を有する電位差検出用電極として、外部ノイズの影響を受けないようにすることを目的に、電極本体（電極素子）の周囲のケース体に、電極本体を囲むようにシールド板を設け、このシールド板をケーブルの外部導体を経て回路部でアースに接続し、到来した外部ノイズをシールド板を経てアースに落すようにした電極がある（例えば、特許文献１参照）。
【０００３】
そのような電極では、潮流が電極素子に当たると、測定値が大きく揺らぐため、電極素子と海水との間の電気的接続のための多孔質フィルタを開口部に設けたケースに電極素子を収納した構造の電極が一般的に用いられている。
【０００４】
その電極は例えば図５に示すような構造である。図５の電極は、カバー１とホルダ２がネジ部３で結合され、ネジ部３の後端部に隣接するようにカバー１とホルダ２との間に介在されたシール材４でカバー１とホルダ２との空間に充填された内部液１０が漏出しないようにシールされている。ホルダ２には電極素子５が取り付けられ、電極素子５は内部液１０中に位置し、電極素子５からのリード線６がホルダ２外部に導出されている。カバー１の開口部には、潮流を防止するとともに電極素子５と海水とを電気的に接続するための多孔質フィルタ７が設けられている。
【特許文献１】特開２０００−２２７４１１号公報
【発明の開示】
【発明が解決しようとする課題】
【０００５】
図５のような電極に用いられるフィルタ７は多孔質であるため、この電極を海水に浸けてもフィルタ７の内部に空気が残り、この空気が結果的に電極素子５と海水との間の電気的抵抗を大きくしてしまい、測定値の揺らぎを大きくする原因となることが分かっている。
【０００６】
図５に示す構造の電極の場合、カバー１とホルダ２を互いに完全に螺合させると、円形で囲むＢ部が最後にシール材４によりシールされる。従って、電極素子５を収納した空間の内部液圧は螺合により上昇するが、内部液１０はその圧力でカバー１の先端の多孔質フィルタ７ではなく、隙間の大きいネジ部３を通って電極外部に押し出されるので、多孔質フィルタ７の内部空気は残ったままで除去されない。
【０００７】
このため従来は、製造時に多孔質フィルタ内部の空気を除去するために、多孔質フィルタを塩水に浸け、減圧装置を用いて多孔質フィルタ周囲の圧力を下げて、多孔質フィルタ内部の空気を除去する方法が採用されてきた。
【０００８】
しかしながら、その方法は、多孔質フィルタ内部の空気を除去するために減圧装置が必要であり、また減圧時の圧力を海水が沸騰しない程度に制御する必要がある。
【０００９】
本発明は、そのような問題点に着目してなされたものであって、減圧装置を用いずに多孔質フィルタ内部の空気を簡単に除去することができる電位差検出用電極を提供することを目的としている。
【課題を解決するための手段】
【００１０】
上記の課題を解決するために、本発明の電位差検出用電極は、一体に結合される本体一方部分及び本体他方部分と、本体一方部分の開口部に設けられた多孔質フィルタと、本体他方部分に設けられ、本体一方部分との結合状態で本体一方部分と本体他方部分との空間の内部液中に位置する電極素子と、本体一方部分と本体他方部分との間に介在され、本体一方部分と本体他方部分との空間の内部液をシールするシール材とを備える電極において、本体一方部分と本体他方部分を双方の間にシール材を介在させて結合するときに、結合の途中でシール材のシール機能を発揮させる手段を設けたことを特徴とする。
【００１１】
この電極によると、本体一方部分と本体他方部分を結合するときに、結合の途中でシール材のシール機能が発揮し、これ以降、結合の進行に連れて内部液圧が上昇するため、内部液はその圧力により本体一方部分と本体他方部分との間隙から漏洩することなく、多孔質フィルタを通過して電極外部に押し出されることになる。このとき、多孔質フィルタ内部に残る空気が内部液と一緒に電極外部に押し出されるので、多孔質フィルタ内部の空気を除去することができる。
【００１２】
この電極において、前記手段は具体的には、本体一方部分と本体他方部分を互いに螺合させるネジ部と、このネジ部に近接して設けられた前記シール材とからなり、本体一方部分と本体他方部分を螺合により完全に結合させたときに、シール材が本体一方部分と本体他方部分とのオーバーラップ部分の途中に位置するようにするのが好ましい。この場合、電極を組み立てる途中で、すなわち本体一方部分と本体他方部分をネジ部により螺合させる途中で、シール材によりネジ部を含む本体一方部分と本体他方部分とのオーバーラップ部分がシールされ、これ以降、螺合に伴って本体一方部分と本体他方部分との空間の内部液圧が自然に高まり、上記の通り多孔質フィルタ内部の残存空気が除去される。
【発明の効果】
【００１３】
請求項１記載の発明によれば、多孔質フィルタ内部の空気を除去するための減圧装置が不要となる。また、従来の電極と同じ要領で組み立てるだけで多孔質フィルタ内部の空気を除去することができるので、多孔質フィルタ内部の空気を除去する作業時間・手間が不要となる。
【００１４】
請求項２記載の発明によれば、簡単な構造で多孔質フィルタ内部の空気を除去することができる。
【発明を実施するための最良の形態】
【００１５】
以下、実施の形態により、この発明を更に詳細に説明する。
【００１６】
実施形態に係る電位差検出用電極のカバー１（本体一方部分）の縦断面図を図１に、ホルダ２（本体他方部分）の縦断面図を図２に示す。但し、図５に示す従来の電極と同じ要素には同一符号を付してある。この電極はカバー１とホルダ２を備えるものである。
【００１７】
カバー１は、外部の海水を内部に導入する開口部（符号は付さず）を先端に有する円筒状を呈し、内部が空洞８になっている。空洞８は、内部液１０（図３及び図４）が充填される部分８ａと、ホルダ２が挿入される部分８ｂとからなり、部分８ｂは部分８ａよりも大径である。カバー１の先端の開口部には、潮流を防止するとともに電極素子５と海水とを電気的に接続するための多孔質フィルタ７が設けられている。カバー１の後端側に位置する空洞部分８ｂの内周面の一部分には、ネジ部３を構成する雌ネジ３ａが形成されている。
【００１８】
ホルダ２は、カバー１に一体に結合される円柱状を呈し、その先端面の中心から突出する電極素子５を有する。電極素子５は例えばＡｇ／ＡｇＣｌからなり、そのリード線６がホルダ２の後端面から外部に導出されている。ホルダ２の先端側の外周面には、ネジ部３を構成する雄ネジ３ｂが形成されている。この雄ネジ３ｂに近接して環状の溝２１が形成され、この溝２１に環状のシール材４が嵌合されている。このシール材４は、カバー１とホルダ２との空間（空洞部分８ａと空洞部分８ｂの一部分）の内部液１０がネジ部３を含むカバー１とホルダ２とのオーバーラップ部分Ｌ（図４）から漏洩しないようにシールする。また、ホルダ２の溝２１よりも後端側は、カバー１の後端部９の厚さ分だけ段差２２になっている。このホルダ２の雄ネジ３ｂから段差２２までの部分がカバー１とのオーバーラップ部分Ｌとなる。
【００１９】
このように構成した電極において、多孔質フィルタ７の内部に残存する空気を除去するには、カバー１とホルダ２を互いに螺合させるだけでよい。すなわち、図３に示すように、カバー１とホルダ２をネジ部３（雌ネジ３ａ及び雄ネジ３ｂ）により互いに螺合させていくと、その途中で図３の円形で囲むＡ部がシール材４によりシールされる。つまり、シール材４がカバー１とホルダ２との間に介在し、カバー１の内周面に圧接する。これにより、螺合の途中でありながら、カバー１とホルダ２との隙間になり得るネジ部３を含むカバー１とホルダ２とのオーバーラップ部分Ｌがシールされるので、内部液１０はオーバーラップ部分Ｌから漏洩しなくなる。
【００２０】
図３の状態から更にカバー１とホルダ２を螺合させていくと、カバー１の後端部９がホルダ２の段差２２に当接した図４の状態になる。この状態で雌ネジ３ａと雄ネジ３ｂとの螺合（結合）が完了する。この完全結合状態になる過程で、ホルダ２がカバー１の空洞部分８ｂ内に進入するので、カバー１とホルダ２との空間の内部液１０の液圧が上昇するが、既にネジ部３を含むオーバーラップ部分Ｌはシール材４で完全にシールされているので（図３のＡ部）、内部液１０は液圧により多孔質フィルタ７を通って電極外部に押し出される。このとき、多孔質フィルタ７の内部に残留していた空気も内部液１０と一緒に電極外部に押し出されることにより、多孔質フィルタ７の内部空気が除去される。
【００２１】
但し、多孔質フィルタ７の内部空気を電極外部に押し出すことが目的であるため、カバー１とホルダ２との螺合作業は、カバー１の先端の多孔質フィルタ７を上に向けて行うことが肝要である。
【００２２】
勿論、カバー１とホルダ２との螺合が完了した状態では、図４のようにシール材４はカバー１とホルダ２とのオーバーラップ部分Ｌの途中に位置することになる。
【００２３】
この電極によれば、多孔質フィルタ７の内部に残る空気を除去するための減圧装置が不要となるだけでなく、従来の電極と同じ要領で組み立てるだけで多孔質フィルタ７の内部空気を除去することができるので、多孔質フィルタ７の内部空気を除去する作業時間・手間が不要となる。すなわち、組立と同時に多孔質フィルタ７の内部空気の除去も行うことができる。また、ホルダ２の雄ネジ３ｂに近接して溝２１を形成し、この溝２１にシール材４を嵌合させる簡単な構造で多孔質フィルタ７の内部空気を除去することができる。
【００２４】
なお、上記実施形態では、シール材４をホルダ２の雄ネジ３ｂに近接して設けてあるが、可能であるならカバー１の雌ネジ３ａに近接して溝を設け、この溝にシール材４を嵌合させてもよい。
【００２５】
また、上記実施形態では、カバー１とホルダ２をネジ部３により結合しているが、シール材４のみでカバー１とホルダ２を結合する構造であってもよい。この場合は、カバー１とホルダ２が図４のような完全な結合状態となる前に、Ａ部（又はその付近）をシールできる構造とすることで、同様の効果を得ることができる。
【図面の簡単な説明】
【００２６】
【図１】実施形態に係る電位差検出用電極のカバーの縦断面図である。
【図２】実施形態に係る電位差検出用電極のホルダの縦断面図である。
【図３】実施形態に係る電位差検出用電極において、カバーとホルダとを螺合させる途中の状態を示す縦断面図である。
【図４】同電位差検出用電極において、カバーとホルダとの螺合が完了した状態を示す縦断面図である。
【図５】従来例に係る電位差検出用電極の縦断面図である。
【符号の説明】
【００２７】
１      カバー（本体一方部分）
２      ホルダ（本体他方部分）
３      ネジ部
３ａ    雌ネジ
３ｂ    雄ネジ
４      シール材
５      電極素子
７      多孔質フィルタ
８      空洞
１０    内部液
Ｌ      カバーとホルダとのオーバーラップ部分
【図１】
2008145147.tif 000003
【図２】
2008145147.tif 000004
【図３】
2008145147.tif 000005
【図４】
2008145147.tif 000006
【図５】
2008145147.tif 000007